(57)【要約】【課題】動画撮影中に静止画撮影が行なわれる場合に、静止画フラッシュ撮影の影響が動画データに現われないデジタルカメラを提供すること。【解決手段】  ＭＥＰＧ規格で動画データを圧縮してメモリカードに記録する場合、ＩフレームとＰフレームとがあればＢフレームの画像データを作成することができるところに着目して、動画撮影中にフラッシュ静止画撮影が行なわれる場合には、Ｂフレーム中のいずれかのタイミングでフラッシュを発光させてフラッシュ静止画撮影を行なう。【選択図】    図３
2005117095.tif 000002
【特許請求の範囲】
【請求項１】
動画撮影中に静止画フラッシュ撮影が可能であって動画撮影による動画データおよび静止画撮影による静止画データを生成する撮影装置において、
動画撮影により得られた動画データを、他のフレームの圧縮の基礎となる第１種類の
フレームと他のフレームの圧縮の基礎とはならない第２種類のフレームが所定の規則に従い周期的に混在する圧縮法を用いて圧縮する動画圧縮部と、
動画撮影中に静止画フラッシュ撮影指示を受けた場合に、前記第１種類のフレームの撮影タイミングを避けたタイミングでフラッシュを発光させた静止画撮影を行なうタイミング制御部とを備えたことを特徴とする撮像装置。
【請求項２】
前記タイミング制御部は、動画撮影中に静止画フラッシュ撮影指示を受けた場合であってフラッシュの発光が複数のフレームに跨る場合に、
前記第１種類のフレームと前記第２種類のフレームとのうちの第２種類の複数のフレームのみに跨るタイミングでフラッシュを発光させた静止画撮影を行なうものであることを特徴とする請求項１記載の撮像装置。
【請求項３】
この撮像装置が、静止画撮影にあたり撮影前に予備発光を行なうとともに静止画撮影時に本発光を行なう赤目低減モードを有するものであり、
前記タイミング制御部は、動画撮影中に赤目低減モードによる静止画フラッシュ撮影指示を受けた場合に、予備発光および本発光の全てが前記第１種類のフレームの撮影タイミングを避けたタイミングとなるようにフラッシュを発光させた静止画撮影を行なうものであることを特徴とする請求項１記載の撮像装置。
【請求項４】
前記動画圧縮部は、動画撮影により得られた動画データを、ＭＰＥＧ規格に準拠した圧縮法を用いて圧縮するものであり、
前記タイミング制御部は、動画撮影中に静止画フラッシュ撮影指示を受けた場合に、ＩフレームとＰフレームとからなる第１種類のフレームの撮影タイミングを避けた、Ｂフレームからなる第２種類のフレームの撮影タイミングでフラッシュを発光させた静止画撮影を行なうものであることを特徴とする請求項１記載の撮像装置。
【請求項５】
動画と静止画との双方の撮影を担う撮影部を備えたことを特徴とする請求項１記載の撮像装置。
【請求項６】
動画を撮影する動画撮影部と静止画を撮影する静止画撮影部とを備えたことを特徴とする請求項１記載の撮像装置。
【発明の詳細な説明】
【技術分野】
【０００１】
本発明は、動画撮影中に静止画フラッシュ撮影が可能であって動画撮影による動画データおよび静止画撮影による静止画データを生成する撮影装置に関する。
【背景技術】
【０００２】
デジタルカメラの中には動画と静止画像との双方の撮影が自在に行なえるものであって、さらに動画撮影中であっても静止画の撮影を自在に行なえるものがある（例えば特許文献１参照）。この特許文献１では動画撮影中にフラッシュ静止画撮影を行なう場合に、静止画撮影時のフラッシュが動画像に悪影響を及ぼさないように動画像の露光と露光の合間にフラッシュを発光させる技術が開示されている。
【０００３】
しかし、フラッシュを発光する時間が長くなってきたりすると、上記技術では動画像の露光中にフラッシュの発光が混入して動画データにフラッシュの影響が現われてしまう懸念がある。例えば、赤目低減発光などを行なうことを考えると発光が断続的に行なわれるため、発光時間が長くなって上記技術では動画データにフラッシュの影響が現われてしまうことが懸念される。
【０００４】
このような懸念を払拭するため、フラッシュ撮影された静止画像データの補正を、静止画撮影を行なうタイミング直前の動画データを用いて行なう技術も開示されている（特許文献２参照）。
【０００５】
しかし、動画データと静止画データの画素数の違いから、高精細な画像であるはずの静止画像が粗い画像になってしまうという懸念が出てくる。
【特許文献１】特開２０００−２９５５２２号公報
【特許文献２】特開２００２−１９９２７３号公報
【発明の開示】
【発明が解決しようとする課題】
【０００６】
本発明は上記問題点を解決し、本発明は、上記事情に鑑み、動画撮影中にフラッシュ静止画撮影を行なう場合、フラッシュの発光時間が多少長くなってもフラッシュの影響が動画データに現われない撮像装置を提供することを目的とする。
【課題を解決するための手段】
【０００７】
上記目的を達成する本発明の撮像装置は、動画撮影中に静止画フラッシュ撮影が可能であって動画撮影による動画データおよび静止画撮影による静止画データを生成する撮影装置において、
動画撮影により得られた動画データを、他のフレームの圧縮の基礎となる第１種類のフレームと他のフレームの圧縮の基礎とはならない第２種類のフレームが所定の規則に従い周期的に混在する圧縮法を用いて圧縮する動画圧縮部と、
動画撮影中に静止画フラッシュ撮影指示を受けた場合に、上記第１種類のフレームの撮影タイミングを避けたタイミングでフラッシュを発光させた静止画撮影を行なうタイミング制御部とを備えたことを特徴とする。
【０００８】
上記本発明の撮影装置によれば、動画撮影中に静止画フラッシュ撮影指示を受けた場合、上記タイミング制御部が上記第１種類のフレームの撮影タイミングを避けたタイミングでフラッシュを発光させ静止画撮影が行なわれる。その結果、圧縮の基礎となる第１種類のフレームの撮影タイミングでは、フラッシュが発光されずにその第１種類のフレームの撮影タイミングを避けた第２種類のフレーム内の画像データにフラッシュの影響が現われる。しかし、この第２種類のフレーム内の画像データは圧縮の基礎とはならないのでメモリカードなどに記録される動画データにはフラッシュの影響が何ら現われない。
【０００９】
ここで、上記タイミング制御部は、動画撮影中に静止画フラッシュ撮影指示を受けた場合であってフラッシュの発光が複数のフレームに跨る場合に、
上記第１種類のフレームと上記第２種類のフレームとのうちの第２種類のフレームのみに跨るタイミングでフラッシュを発光させた静止画撮影を行なうものであることが好ましい。
【００１０】
上記第２種類のフレームが複数続けて配列されていればその第２種類のフレームに跨るタイミングでフラッシュを発光させれば、少々発光時間が長くても動画データに影響を与えずにフラッシュ静止画撮影が問題なく行なわれる。
【００１１】
また、この撮像装置が、静止画撮影にあたり撮影前に予備発光を行なうとともに静止画撮影時に本発光を行なう赤め低減モードを有するものであり、
上記タイミング制御部は動画撮影中に赤目低減モードによる静止画フラッシュ撮影指示を受けた場合に、予備発光および本発光のすべてが前記第１種類のフレームの撮影タイミングを避けたタイミングとなるようにフラッシュを発光させた静止画撮影を行なうものであることが好ましい。
【００１２】
上記したように第２種類のフレームが複数のフレームあれば、フラッシュ発光の時間が充分稼げるので、予備発光および本発光のすべてがそれらの第２種類のフレームの撮影タイミングで行なわれても動画データには何ら影響が与えられない。
【００１３】
また、上記動画圧縮部は、動画撮影により得られた動画データを、ＭＰＥＧ規格に準拠した圧縮法を用いて圧縮するものであり、
上記タイミング制御部は、動画撮影中に静止画フラッシュ撮影指示を受けた場合に、ＩフレームとＰフレームとからなる第１種類のフレームの撮影タイミングを避けた、Ｂフレームからなる第２種類のフレームの撮影タイミングでフラッシュを発光させた静止画撮影を行なうものであることが好ましい。
【００１４】
上記ＭＰＥＧ規格に準拠した圧縮方法では、先頭のＩフレームまたはＰフレーム、そのフレームを先頭として４番目のＰフレームまたはＩフレームの圧縮が行なわれてから途中のフレームの画像データが生成される。このため、Ｂフレーム中にフラッシュを発光させれば、フラッシュ静止画撮影が行なわれても動画データにはフラッシュの影響が現われない。
【００１５】
上記本発明の撮像装置の構成は、動画と静止画との双方の撮影を担う撮影部を備えたものであっても、動画を撮影する動画撮影部と静止画を撮影する静止画撮影部との双方を備えたものであってもどちらでも適用可能である。
【発明の効果】
【００１６】
上記本発明の撮像装置によれば、動画撮影中にフラッシュ静止画撮影を行なう場合、フラッシュ発光時間が多少長くなってもフラッシュの影響が動画データに現われない撮像装置が実現される。
【発明を実施するための最良の形態】
【００１７】
以下図面を参照して本発明の実施の形態を説明する。
【００１８】
図１に本発明の実施形態を示すデジタルカメラの構成斜視図であり、図１（ａ）は正面上方から見た図、図１（ｂ）は背面上方から見た図である。
【００１９】
図１（ａ）に示すように、本実施形態のデジタルカメラ１００ではレンズ鏡胴１７０内に内蔵された撮影レンズを通してデジタルカメラ１００内部に配備されているＣＣＤ固体撮像素子まで被写体の像が導かれるようになっている。またデジタルカメラ１００内部には測距装置が備えられており、カメラボディには投光窓１０３、受光窓１０４がそれぞれ設けられている。この測距装置では投光窓１０３を通して被写体に向けて光が投光され、被写体にあたって戻ってくる戻り光が受光窓１０４を通して受光され、測距が行なわれる。その受光窓１０４と投光窓１０３に挟まれた位置にはファインダ用の対物窓１０５が備えられている。
【００２０】
また、デジタルカメラ１００内部には測光装置も配備されており、レンズ鏡胴１７０に内蔵された撮影レンズを通して導かれた被写体光から被写体輝度が検出される。
【００２１】
この被写界輝度によっては、デジタルカメラ１００内部に配備された発光管から発光されたフラッシュが、フラッシュ発光窓１６０を通して被写体に向けて照射される。
【００２２】
また、図１（ｂ）に示すように本実施形態のデジタルカメラ１００の背面および上面にはユーザがこのデジタルカメラ１００を使用するときにいろいろな操作を行うための操作スイッチ群が設けられている。
【００２３】
この操作スイッチ群１０１の中にはデジタルカメラ１００を作動させるための電源スイッチ１０１ａのほか、十字キー１０１ｂ、メニュー／ＯＫキー１０１ｃ、キャンセルキー１０１ｄ、モードレバー１０１ｅ、静止画撮影補助釦１０１ｆなどがある。また十字キー１０１ｂの内部には操作内容をユーザに示すための表示を行なう操作用ＬＣＤ表示部１４が設けられている。この操作子群の中のモードレバー１０１ｅによって再生モードと撮影モードの切替や撮影モードの中でさらに動画モード、静止画モードの切替が行なわれる。このモードレバー１０１ｅが撮影モードに切り替えられてシャッタ釦１０２が押されるとシャッタ釦の操作に応じて撮影が行なわれ、再生側に切り替えられると既撮影画像の再生表示がＬＣＤパネル１５０上に行なわれる。
【００２４】
また、このデジタルカメラでは、動画撮影モードが選択されて動画撮影が行なわれている最中に静止画撮影を行なえるように静止画撮影補助釦１０１ｆが配備されている。この静止画撮影用補助釦１０１ｆは半押しと全押しの２つの操作態様を有しており、動画撮影中にこの静止画撮影用補助釦１０１ｆが半押しから全押しされると、半押しされたときの撮影条件で全押し時に撮影が行なわれる。また、シャッタ釦１０２は、静止画撮影モードのときには半押しと全押しとの２つの操作態様を持つ操作子として働き、動画撮影モードが選択されているときには、トグルスイッチとして働く。
【００２５】
このように動画撮影中でも静止画撮影を行なえると、ユーザにとっては使いやすいデジタルカメラになるが、動画データ撮影中にフラッシュ静止画撮影が行なわれると動画データにフラッシュの影響が現われてしまうことがあるので、このデジタルカメラ内部に本発明にいうタイミング制御部を設けてそのタイミング制御部にフラッシュの発光タイミングを制御させている。詳細は後述する。
【００２６】
図２はデジタルカメラ１００の内部に配備された信号処理部の構成ブロック図である。
【００２７】
図２を参照してデジタルカメラ１００内にある信号処理部の構成を説明する。
【００２８】
図２はデジタルカメラ１００の内部に配備された信号処理部の構成ブロック図である。
【００２９】
本実施形態のデジタルカメラ１００ではすべての処理がメインＣＰＵ１１０によって制御されていて、このメインＣＰＵ１１０の入力部には図１（ｂ）に示した操作部の各種スイッチ群１０１からの操作信号がそれぞれ供給されている。メインＣＰＵ１１０はＥＥＰＲＯＭ１１０ａを有しており、このＥＥＰＲＯＭ１１０ａの中にはデジタルカメラ１００として動作するために必要なプログラムが書き込まれている。このような構成を持つデジタルカメラの電源スイッチ１０１ａが投入されると、ＥＥＰＲＯＭ内のプログラムの手順にしたがってＣＰＵ１１０によりこのデジタルカメラ全体の動作が制御される。
【００３０】
まず画像データの流れを、図３を参照して説明する。
【００３１】
電源スイッチ１０１ａが投入されたら、メインＣＰＵ１１０により電源スイッチ１０１ａが投入されたことが検知され、電源１３０からメインＣＰＵ１１０，測光測距ＣＰＵ１４０などの各ブロックに電力が供給される。電源１３０が投入されたときにモードレバー１０１ｅが撮影側に切り替えられている場合には、まずＣＣＤ固体撮影素子１１０に結像された被写体像が画像データとして所定の間隔ごとに間引かれて出力され、その出力された画像データに基づく被写体像が画像表示ＬＣＤのＬＣＤパネル１５０上に表示される。このＣＣＤ固体撮像素子１１２にはクロックジェネレータ（以下、ＣＧという）１１２１からタイミング信号が供給されており、このタイミング信号によって所定の間隔ごとに、画像データが間引かれて出力される。このＣＧ１１２１はＣＰＵ１１０からの指示に基づいてタイミング信号を出力しており、そのタイミング信号は、ＣＣＤ固体撮像素子１１２の他、後段のＡ／Ｄ部１１３、およびホワイトバランス調整・γ処理部１１４にも供給されている。したがって、ＣＣＤ固体撮像素子１１２、Ａ／Ｄ部１１３、ホワイトバランス・γ処理部１１４ではそのタイミング信号に同期して順序良く画像データの処理が流れるように行なわれる。
【００３２】
このようにＣＰＵ１１０の指示に応じてＣＧ１１２１から出力されるタイミング信号に同期してＡ／Ｄ部１１３でデジタルの画像データに変換され、またホワイトバランスγ処理部１１４でホワイトバランス調整やγ補正が所定の間隔ごとに行なわれていくときには、それらの画像データの流れをうまく処理する必要があるので、後段にバッファメモリ１１５を設けて、そのバッファメモリ１１５によって所定の間隔ごとに画像データをＹＣ処理部１１６に転送していくタイミングを調整している。そのバッファメモリ１１５では古い時刻に記憶された画像データから先に所定の間隔ごとにＹＣ処理部１１６へ画像データが転送される。そのＹＣ処理部１１６に転送された画像データは、ＹＣ処理部１１６でＲＧＢ信号からＹＣ信号に変換され、その後バス１２１を介してその変換されたＹＣ信号が画像表示ＬＣＤ１５側に供給される。この画像表示ＬＣＤ１５の前段にはＹＣ信号をＲＧＢ信号に変換するＹＣ→ＲＧＢ変換部１５１があり、このＹＣ→ＲＧＢ変換部１５１でＹＣ信号が再びＲＧＢ信号に変換され、その変換されたＲＧＢ信号がドライバ１５２を経由して画像表示ＬＣＤ１５に供給される。この供給されたＲＧＢ信号に基づいて画像表示ＬＣＤ１５のＬＣＤパネル１５０上に被写体像の画像表示が行なわれる。前述したＣＧ１１２１から出力されるタイミング信号に同期してＣＣＤ固体撮像素子１１２、Ａ／Ｄ部１１３、ＷＢ／γ補正部１１４が動作して、所定の間隔ごとにＣＣＤ固体撮像素子１１２で生成された画像データが処理されている訳であるから、この画像表示ＬＣＤ１５の表示パネル１５０上には撮影レンズが向けられた方向の被写体が被写体像として常に表示され続ける。この表示され続けている被写体像を視認しながら、シャッタチャンスにシャッタ釦１０２が押されると、シャッタ釦１０２の押下タイミングを起点として所定の時間を経た後、ＣＣＤ固体撮像素子１１２に結像された画像データすべてがＲＧＢ信号となって出力される。このＲＧＢ信号はＹＣ処理部１１６でＹＣ信号に変換されてさらに圧縮・伸張部１１７でＹＣ信号が圧縮され、その圧縮された画像データがメモリカード１１９に記録される。この圧縮・伸張部１１７では静止画についてはＪＰＥＧ規格に準拠した圧縮方法で圧縮が行なわれてメモリカード１１９に画像データが記録される。ヘッダ部には圧縮情報や撮影情報などが書き込まれており、このデジタルカメラ１００のモードレバー１０１ｅが再生側に切り替えられたら、メモリカード１１９からそのファイルのヘッダがまず読み出され、そのヘッダ内の圧縮情報に基づいてファイル内の圧縮画像データが伸張されて画像データが元に復元された後、その画像データに基づく被写体像がＬＣＤパネル１５０上に表示される。
【００３３】
また、この実施形態のデジタルカメラ１００には、メインＣＰＵ１１０の他に焦点調整および露出調整を行なうための測光・測距ＣＰＵ１２０が設けられており、この測光・測距ＣＰＵ１２０によって撮影光学系のフォーカスレンズの位置制御や絞りの切り替え制御が行なわれている。さらにこの測光・測距ＣＰＵ１２０は充電・発光制御部１６ａの制御も行なっており、フラッシュの発光が必要な場合にはその充電・発光制御部１６ａを制御して発光管１６０ａにフラッシュを発光させることも行なっている。
【００３４】
この測光・測距ＣＰＵ１２０では焦点調整にあっては、メインＣＰＵ１１０からの測距値に基づいてフォーカスレンズ１１１０を合焦点位置に駆動し、露出調整にあってはメインＣＰＵ１１０からの測光値に基づいて絞り１１１２の開口の大きさを変更してＣＣＤ固体撮像素子１１２の撮影面に与えられる光量を制御し、また後述する動画撮影中のフラッシュ静止画撮影にあっては、充電・発光制御部１６ａを制御し、さらにその充電・発光制御部１６ａにフラッシュ発光タイミング制御部１４０との間で通信を行なわせ、フラッシュ発光タイミング制御部１４０でのタイミングの計測結果に基づいてフラッシュを発光させるようにしている。この測光・測距ＣＰＵ１２０と充電・発光制御部１６ａとフラッシュ発光タイミング制御部１４０とが本発明にいうタイミング制御部にあたる。
【００３５】
一方、モードレバー１０１ｅにより動画撮影モードが選択されて撮影が行なわれているときには、ＣＣＤ固体撮像素子１１２に結像された画像が所定の間隔ごとに間引かれて出力されて、静止画撮影のときと同様の処理が施されてメモリカード１１９に記録される。この動画撮影においては圧縮・伸張部１１７でＭＰＥＧ２規格に準拠した圧縮方法（図１参照）により相当量の画像データの圧縮が行なわれて動画データがメモリカード１１９に記録される。ここで、静止画撮影補助釦１０１ｆが半押しから全押し操作された場合には、圧縮・伸張部１１７でそのＭＥＰＧ２規格に準拠した圧縮だけでなく、ＪＰＥＧ規格に準拠した静止画データの圧縮も行なわれて動画データとともに静止画データがメモリカード１１９に記録される。この圧縮・伸張部１１７が本発明にいう動画圧縮部にあたる。
【００３６】
図３は、その動画圧縮部にあたる圧縮・伸張部１１７が行なう、ＭＰＥＧ規格のうちのＭＰＥＧ２規格に準拠した圧縮方法を説明する図である。このＭＰＥＧ２規格はＭＰＥＧ規格の中の一つであり、他にＭＰＥＧ１、ＭＰＥＧ４などがあるが、これらのＭＰＥＧ１、２、４はどれも同様の圧縮方法であるので、ＭＰＥＧ２を例に挙げて説明する。図３（ａ）、図３（ｂ）とも横軸は時間である。
【００３７】
図３（ａ）には時系列に並んだフレーム（Ｉフレーム、Ｂフレーム、Ｂフレーム、Ｐフレーム、Ｂフレーム、Ｂフレーム、Ｐフレーム…）がそれぞれ示されている。この図３に示す圧縮方法（以降ＭＰＥＧ２という）では、４フレームを１単位として圧縮が行なわれていく。
【００３８】
このＭＰＥＧ２は、動画撮影により得られた動画データを、他のフレームの圧縮の基礎となる第１種類のフレーム（Ｉフレーム、Ｐフレーム）と他のフレームの圧縮の基礎とはならない第２種類のフレーム（Ｂフレーム）が所定の規則に従い周期的に混在する圧縮法であって、Ｉフレーム、Ｂフレーム、Ｂフレーム、Ｐフレームの４フレームごとに圧縮が行なわれる。
【００３９】
図３（ｂ）に示すように１Ｉフレームではフレーム単独で圧縮が行なわれ、その後それから４つめの４Ｐフレームで１Ｉフレームを参照して圧縮が先に行なわれている。その次に、これら１Ｉフレームと４Ｐフレームとを圧縮の基礎として双方向予測符号化が行なわれて中間の２Ｂフレームおよび３Ｂフレームが２つ作成されている。
【００４０】
このようにすると４フレーム分の画像データが相当量圧縮される。
【００４１】
このデジタルカメラではこの圧縮方法が複数フレームにわたって行なわれることを利用して、動画撮影が行なわれている最中にフラッシュ静止画撮影が行なわれた場合には、充電・発光制御部１６ａが測光・測距ＣＰＵ１２０の制御の基にフラッシュ発光タイミング制御部１４０にＣＧ１１２１、バッファメモリ１１５、圧縮・伸張部１１７の状況を監視させてＢフレームのタイミングを計測させている。充電・発光制御部１６ａでは、その計測結果に基づいて図３に示す２Ｂフレームまたは３Ｂフレームのタイミングで発光管１６０ａにフラッシュを発光させるようにしている。また、静止画データの記録も、これらの時間差をうまく利用してＣＣＤ固体撮像素子１１２が有する全画素からなる画像データの記録を実現させている。
【００４２】
図４は、モードレバー１０１ｅにより動画撮影モードが選択されている場合にメインＣＰＵ１１０が行なう処理の手順を示すフローチャートである。
【００４３】
ステップＳ４０１で電源ＳＷ１０１ａが投入されたことを検知して次のステップＳ４０２で動画記録中フラグをクリアしてＥＥＰＲＯＭ１１０ａ内のプログラムに記述されている動画撮影部を起動する。このときには画像表示ＬＣＤ１５もオンさせる。
【００４４】
ステップＳ４０３へ移行してシャッタ釦１０２がオンしているかどうかを判定する。シャッタ１０２がオンしていたらＹ側に進み、ステップＳ４０４で動画記録中フラグをセットしてメモリカード１１９への動画データの記録を開始する。
【００４５】
次のステップＳ４０５で静止画撮影補助釦１０１ｆが半押しされているかどうかを判定し、半押しされていたら次のステップＳ４０６で半押し時の測距値、測光値にロックする。さらに次のステップＳ４０７で静止画撮影用補助釦１０１ｆが全押しされているかどうかを判定し、全押しされていたらＹ側に進み、ステップＳ４０８でフラッシュ静止画撮影かどうかを判定する。ここでフラッシュ静止画撮影であると判定したらＹ側に進み、ステップＳ４０９でフラッシュを発光するタイミングをフラッシュ発光タイミング制御部１４０に制御させる。ここでは図３のＢフレーム位置でフラッシュを発光させるため、フラッシュ発光タイミング制御部１４０にＣＧ１１２１とバッファメモリ１１５と圧縮・伸張部１１７の動作を監視させ、そのフラッシュ発光タイミング制御部１４０でＢフレーム（２Ｂフレーム、３Ｂフレーム）のタイミングを計測させている。その計測させたタイミングに基づいてステップＳ４１０で充電・発光制御部１６ａが発光管１６０ａにフラッシュを発光させる。
【００４６】
ステップＳ４１１で、メモリカード１１９に静止画データを記録して、次のステップＳ４１２へ移行してシャッタ釦１０２が再度押されたかどうかを判定し、シャッタ釦１０２が押されていなかったらＮ側に進みステップＳ４０４からステップＳ４１３までの処理を繰り返し行なう。
【００４７】
このステップＳ４１２でシャッタ釦１０２が再度押されていたらＹ側に進み、次のステップＳ４１３で動画記録中であるかどうかを判定し、動画記録中であった場合には、Ｙ側に進みステップＳ４１４で動画撮影を終了させ、動画撮影中フラグをクリアする。次のステップＳ４１５で電源スイッチがオフされているかがどうかを判定し、オフされていなかったらＮ側に進み、ステップＳ４０３からステップＳ４１５の処理を繰り返し行なう。また電源スイッチがオフされていたらＹ側に進み電源をオフする。
【００４８】
ステップＳ４１３で、動画記録中ではないと判定した場合には、ステップＳ４１３でのシャッタのオンを一度目の押下操作としてシャッタ釦１０２が再度オンされるまでステップＳ４０３へ戻ってステップＳ４０３からステップＳ４１３の処理を繰り返し行なう。
【００４９】
ステップＳ４０５で静止画撮影補助釦１０１ｆが半押しされていない場合には、動画撮影だけが行なわれているので、ステップＳ４０６〜Ｓ４１１をスキップしてステップＳ４１２でシャッタ釦１０２が押されたかどうかを判定して静止画撮影の処理を行なわない。
【００５０】
また、ステップＳ４０５で補助静止画撮影ボタン１０１ｆが半押しされた後、全押しがなかなか行われない場合には、全押しが行なわれるまでステップＳ４１３を経由してステップＳ４０３へ戻ってステップＳ４０７で全押しされたかどうかを判定して、全押しされてＹ側に進んだら次のステップＳ４０８でフラッシュ静止画撮影かどうかを判定し、フラッシュ静止画撮影であったらステップＳ４０９で充電・発光制御部１６ａを介してフラッシ発光タイミング制御部１４０にフラッシュの発光タイミングを計測させている。その計測値が充電・発光制御部１６ａに通知され、その充電・発光制御部１６ａがステップＳ４１０で発光管１６０ａにフラッシュを発光させ、ステップＳ４１１でフラッシュ静止画撮影を行なう。
【００５１】
このようにＢフレームのタイミングでフラッシュを発光させることで、動画撮影中に静止画撮影が行なわれても、動画データにフラッシュの影響が現われないデジタルカメラが実現される。
【００５２】
上記実施形態のデジタルカメラ１００では、動画と静止画との双方の撮影を担う撮影部を備えたものを例に挙げたが、動画を撮影する動画撮影部と静止画を撮影する静止画撮影部とを備えたデジタルカメラ１００Ｐもある。
【００５３】
図５は本発明の別の実施形態を示すデジタルカメラ１００Ｐの外観を示す図である。
【００５４】
この図５に示すデジタルカメラ１００Ｐは、動画撮影系と静止画撮影系の２つの系統の撮影光学系を有している。
【００５５】
図５（ａ）にはデジタルカメラを正面斜め上方から見た斜視図が示されており、図５（ｂ）にはデジタルカメラを後方斜め上方から見た斜視図が示されている。
【００５６】
図５（ａ）に示すデジタルカメラ１００Ｐのカメラボディ１００ｐの正面中央には静止画撮影用のレンズ１１ａと動画撮影撮影用のレンズ１１ｂとが並べて配置されている。このカメラボディ１００ｐの上面には、それらのレンズが捉える被写体の撮影を各々個別に行なえるように静止画用シャッタ釦１０２ａと動画用シャッタ釦１０２ｂとがそれぞれ個別に設けられている。また、このデジタルカメラ１００Ｐを動作させるための電源スイッチ１０１が設けられており、この電源スイッチ１０１が投入されると、動画撮影も静止画撮影も行なうことができる。
【００５７】
このように電源スイッチ１０１が投入され、静止画シャッタ釦１０２ａにより静止画撮影を行なうことも動画シャッタ釦１０２ｂにより動画撮影を行なうこともできるので、双方の操作状態を撮影者に示すために、操作用ＬＣＤ１４が設けられている。なお、フラッシュ静止画撮影を行なうときには動画撮影中であってもフラッシュ発光窓１６０からフラッシュが発光される。
【００５８】
また、図５（ｂ）に示すカメラボディ１００ａの背面側には、ファインダ用のＬＣＤパネル１５０が設けられており、また動画撮影、静止画撮影それぞれの撮影において独立にズームを行なえるように、静止画撮影用ズーム釦１０６ａと動画撮影用ズーム釦１０６ｂが個別に設けられている。
【００５９】
このように、静止画撮影と動画撮影との双方をこのデジタルカメラ一台で独立に行なえる構成になっている。
【００６０】
図６は、図５（ａ）と図５（ｂ）に示すデジタルカメラ１００Ｐの内部構成を示す図である。
【００６１】
図５（ｂ）に示したように電源スイッチ１０１の投入により動画撮影部１００ｂ、静止画撮影部１００ａをそれぞれ動作させることができるような電源１３０が設けられている。
【００６２】
まず、動画撮影部１００ｂの構成を詳細に説明する。
【００６３】
動画用の電源スイッチ１０１が投入されると電源１３０から動画撮影部１００ｂを構成する各部に電力が供給され、動作可能な状態になる。
【００６４】
動画撮影部１００ｂは、メインＣＰＵ１１０により統括的に制御されるものであり、メインＣＰＵ１１０ｂには動画用シャッタ釦１０２ｂや電源スイッチ１０１などの操作信号が供給されている。これらの操作信号が供給されたことを受けてメインＣＰＵ１１０により動画撮影部１００ｂの動作、また操作用ＬＣＤ１４さらに画像表示ＬＣＤ１５の表示動作が制御される。このメインＣＰＵ１１０にはプログラム格納用のＥＥＰＲＯＭ１１０ａが備えられており、このＥＥＰＲＯＭ１１０ａ内にあるプログラムにしたがって動画撮影部１００ｂの動作が制御される。
【００６５】
このメインＣＰＵ１００により制御される動画撮影部１００ｂの動作を説明する。
【００６６】
動画撮影部１００ｂには、フォーカスに大きく寄与するフォーカスレンズ１１１０ｂや焦点距離が可変なズームレンズ１１１１ｂを含む複数のレンズからなる動画用撮影光学系１１１ｂおよび動画用ＣＣＤ１１２ｂが備えられており、その動画用撮影光学系１１１ｂでその動画用ＣＣＤ１１２ｂにピントのあった被写体を結像させている。この動画用ＣＣＤ１１２ｂにピントのあった被写体を結像させるにあたって、本実施形態のデジタルカメラではフォーカスレンズ１１１０ｂを至近点から無限遠点まで移動させながら、動画撮影光学系１１１ｂを通して測距や測光が行われている。これら動画撮影光学系１１１ｂを通して測距や測光を行なった結果をメインＣＰＵ１１０ｂが受け取り、その結果を受け取ったメインＣＰＵ１１０ｂから通信により測光・測距ＣＰＵ１２０ｂにその結果を与えて、測光測距ＣＰＵ１２０ｂにフォーカスレンズ１１１０ｂの移動を行なわせたり、絞り１１１２ｂの切り替えを行なわせたりしている。
【００６７】
このようにしてピントのあった被写体像を動画用ＣＣＤ１１２ｂに結像させて動画用ＣＣＤ１１２ｂにより被写体を表わす画像データを生成し、その生成した画像データをＣＧ１１２１ｂから供給されているタイミング信号に応じて所定の時刻ごと（例えば３３ｍｓごと）にＡ／Ｄ部１１３ｂに出力させている。この出力させた画像データがＡ／Ｄ部１１３ｂでデジタル信号の画像データに変換され、後段のホワイトバランス・γ補正部（以降、ＷＢ・γ部という）１１４ｂ、ＹＣ処理部１１６ｂでそのデジタル信号の画像データが
加工されて画像表示ＬＣＤ側にＹＣ信号からなる画像データが供給される。画像表示ＬＣＤ側では、まずそのＹＣ信号からなる画像データを受けて、ＹＣ−ＲＧＢ部１５１でＲＧＢ信号への変換が行なわれ、その変換された画像データがドライバ１５２に供給されてそのドライバ１５２によって画像表示ＬＣＤ１５が駆動される。このようにして画像表示ＬＣＤ１５が駆動されると、ＬＣＤパネル１５０上に画像データに基づく画像がスルー画像として表示される。なお、ＷＢ・γ部の後段にあるバッファメモリは、ＷＢ・γ部１１４ｂで加工された画像データがバス１２１ｂを通過してＹＣ処理部１１６ｂに供給されるタイミングを調整するために設けられている。
【００６８】
ここでそのスルー画像を見ながら動画用シャッタ釦１２ｂが押されたら、動画撮影部１００ｂ内の各部にメインＣＰＵ１１０ｂから動画撮影の開始指示が発せられて撮影が開始される。
【００６９】
この動画用シャッタ釦１０２ｂは図２のものと同様にトグル動作を行なうもので、一度押されたら再度その動画用シャッタ釦１０２ｂが押されるまで、動画用ＣＣＤで生成した画像データが、ＷＢ・γ部１１４ｂおよびＹＣ処理部１１６ｂで加工され、さらにその加工された画像データが圧縮・伸張部１１７ｂでＭＰＥＧ圧縮されてメモリカード１１９に順次記録される。なお、以上説明した動画撮影部ととともにメインＣＰＵ１１０で後述する静止画撮影部１００ａも制御するため、メインＣＰＵ１１０からの指示に基づいて各部の処理を静止画撮影と動画撮影とで時分割的に行なえるようにするためにワークメモリやバッファメモリなどが設けられている。
【００７０】
以上が動画撮影部１００ｂの動作である。
【００７１】
ここで動画用ＣＣＤ１１２ｂから画像記録部１１９０ｂの中のメモリカード１１９に画像データが記録されるまでに、画像データの加工を行なう各部の動作を簡単に説明しておく。
【００７２】
ＷＢ・γ部１１４ｂでは、まず、ホワイトバランス側でＲ，Ｇ，Ｂのそれぞれの振幅の調整が行なわれて基準となる白色を得るための加工が行なわれる。この白色の調整によって黒色から白色に至る途中の色いわゆる中間色の階調が正しく表現される。この白色ほか黒から白色に至る途中の色の階調は、画像表示ＬＣＤ１５の特性によっても変化してしまうので、γ補正側で画像表示ＬＣＤ１５の特性にあった画像データへの加工も施される。このようにして加工された画像データがバス１２１ｂを通過してＹＣ処理部１１６ｂに供給される。
【００７３】
次に、ＹＣ処理部１１６ｂでは別の表示装置での表示も行なえるようにＲＧＢからなる画像データがＹＣ信号からなる画像データに加工される。
【００７４】
さらに、そのＹＣ信号からなる画像データがバス１２１ｂを通過して圧縮・伸張部１１７ｂに供給され、その圧縮・伸張部１１７ｂでメモリカードにできるだけ多くの画像データが記録されるようにＭＰＥＧ規格に準拠した圧縮方法で圧縮が行なわれる。ここでは画像データの圧縮を行なうにあたって図３に示すようなＭＰＥＧ１、２、４規格に準拠した圧縮方法で画像データの圧縮が行なわれている。このように圧縮された画像データがインタフェース１１８を介してメモリカード１１９に記録される。
【００７５】
また、このデジタルカメラでは、そのメモリカード１１９に記録された動画データを再生することもでき、この再生を行なうときには圧縮・伸張部１１７ｂで圧縮された画像データが圧縮情報に基づき伸張され、その伸張された画像データがバス１２１ｂを通過して画像表示ＬＣＤ１５側に供給されて画像データに基づく画像が表示画面１５に表示される。画像表示ＬＣＤ１５側にはその画像表示ＬＣＤ１５を駆動するドライバ１５２とそのドライバ１５２にＲＧＢ信号を供給するＹＣ−ＲＧＢ変換部１５１が備えられており、ＹＣ信号となってメモリカード１１９に記録されていたＹＣ信号からなる画像データがＲＧＢからなる画像データに変換されて画像表示ＬＣＤ１５のＬＣＤパネル１５０上に再生画像が表示される。
【００７６】
次に静止画撮影部１００ａの構成と動作を説明する。この静止画撮影部１００ａは、フラッシュ発光装置１６が付加されている以外動画像撮影部１１０ｂと同様の構成である。また、静止画撮影の場合には圧縮・伸張部１１７ａでＪＰＥＧ規格に準拠した圧縮方法での圧縮が行なわれ、記録メディアに圧縮された画像データが記録される。さらに測光部の測光結果を受けてメインＣＰＵ１１０ｂによりフラッシュが必要と判定された場合に、充電・発光制御部１６ａに制御を行なわせて発光管１６０ａにフラッシュを発光させている。また、動画シャッタ釦１０２ｂが押されて動画撮影中であった場合に静止画用シャッタ釦１０２ａが押された場合には、測光・測距ＣＰＵ１２０の制御の基に充電・発光制御部１６ａが動画撮影部１００ｂにあるフラッシュ発光タイミング制御部１４０に動画データの作成状況を監視させて、Ｂフレームのタイミングを計測させている。
【００７７】
そのフラッシュ発光タイミング制御部１４０によってＢフレームのタイミングが測光・測距ＣＰＵ１２０ａに通知されたら、そのタイミングに応じて充電・発光制御部１２０ａが発光管１６０ａにフラッシュを発光させる。また、このデジタルカメラは赤目低減発光モードを有しているので、その赤め低減発光を行なうときにも第２種類のフレーム（Ｂフレーム）のみに跨るタイミングで予備発光および本発光を行なわせるようにしている。
【００７８】
なお、静止画用ＣＣＤ１１２ａは、動画用ＣＣＤ１１２ｂよりも高画素数を有するもので、動画像よりも高精細な画像が得られる。
【００７９】
図７はメインＣＰＵ１１０が行なう処理の手順を示すフローチャートである。
【００８０】
図４と同様のものであるが、赤目発光モードを有しているのでこの赤目発光モードが選択されていたら、ステップＳ４０９、Ｓ４１０で２つの２Ｂフレーム、３Ｂフレームに跨って予備発光および本発光すべてを行なわせている。なお赤目発光に限らず発光時間が多少長くなるものであれば、２Ｂフレーム、３Ｂフレームに跨ったタイミングでフラッシュを発光させても良い。
【００８１】
このような構成ものでも、動画撮影中に静止画撮影が行なわれる場合に、赤目低減発光が行なわれたとしても静止画フラッシュ撮影の影響が動画データに現われないデジタルカメラが実現される。
【００８２】
なお、本実施形態では撮像装置としてデジタルカメラを例に挙げたが、ビデオカメラであっても、携帯電話機に搭載されたカメラであっても適用可能である。
【図面の簡単な説明】
【００８３】
【図１】本発明の実施形態であるデジタルカメラ１を正面斜め上方から見た斜視図である。
【図２】図１のデジタルカメラ内部の構成ブロック図である。
【図３】ＭＰＥＧ規格に準拠した圧縮方法を説明する図である。
【図４】図２のＣＰＵが行なう処理の手順を示すフローチャートである。
【図５】別の実施形態であるデジタルカメラの外観を示す図である。
【図６】別の実施形態であるデジタルカメラ内部の構成ブロック図である。
【図７】図６のＣＰＵが行なう処理の手順を示すフローチャートである。
【符号の説明】
【００８４】
１００  １００Ｐ  デジタルカメラ
１００ａ  １００ｐ  カメラボディ
１０１    電源スイッチ
１０２      シャッタ釦
１０２ａ    静止画用シャッタ釦
１０２ｂ    動画用シャッタ釦
１０３  １０４    測距窓
１０５    ファインダ窓
１１０      メインＣＰＵ
１１０ａ    ＥＥＰＲＯＭ
１１１      撮影光学系
１１１ａ    静止画撮影光学系
１１１ｂ    動画撮影光学系
１１２      ＣＣＤ
１１２１    クロックジェネレータ
１１２１ａ   静止画用クロックジェネレータ
１１２１ｂ   動画用クロックジェネレータ
１１２ａ    静止画用ＣＣＤ
１１２ｂ    動画用ＣＣＤ
１１３    Ａ／Ｄ部
１１３ａ    静止画用Ａ／Ｄ部
１１３ｂ    動画用Ａ／Ｄ部
１１４    ホワイトバランスγ補正部
１１４ａ    静止画用ＷＢ・γ補正部
１１４ｂ    動画用ＷＢ・γ補正部
１１５    バッファメモリ
１１５ａ    静止画用バッファメモリ
１１５ｂ    動画用バッファメモリ
１１６    ＹＣ処理部
１１６ａ    静止画用ＹＣ処理部
１１６ｂ    動画用ＹＣ処理部
１１７    圧縮・伸張部
１１７ａ    圧縮・伸張部（ＪＰＥＧ）
１１７ｂ    圧縮・伸張部（ＭＰＥＧ）
１１８    Ｉ／Ｆ部
１１９    メモリカード
１２０      測光・測距ＣＰＵ
１２０ａ    動画用測光・測距ＣＰＵ
１２０ｂ    静止画用測光・測距ＣＰＵ
１６    フラッシュ発光装置
１６ａ    充電・発光制御部
１６０ａ    発光管
１６０    フラッシュ発光窓
【図１】
2005117095.tif 000003
【図２】
2005117095.tif 000004
【図３】
2005117095.tif 000005
【図４】
2005117095.tif 000006
【図５】
2005117095.tif 000007
【図６】
2005117095.tif 000008
【図７】
2005117095.tif 000009